(57)【要約】【課題】高い汎用性にて、所望の光色の照明光を容易に生成することができる照明装置及を提供する。【解決手段】発光色の異なる２種以上からなる複数のＬＥＤ２５を備えた光源部２０と、光源部２０で生成可能な照明光の光色と各ＬＥＤ２５の出力との関係を示す光色特性情報を格納する記憶部２１と、照明光の光色を指定するための光色制御コマンドを入力する伝送部２２と、光色特性情報に基づいて光色制御コマンドを各ＬＥＤ２５の出力情報に変換し当該出力情報に基づいて各ＬＥＤ２５の出力レベルを制御する制御部２３と、を具備して照明装置Ｌを構成する。【選択図】図１
2014120396.tif 000002
【特許請求の範囲】
【請求項１】
発光色の異なる２種以上からなる複数の発光素子を光源として備えた光源部と；
前記光源部で生成可能な照明光の光色と前記各発光素子の出力との関係を示す光色特性情報を格納する記憶部と；
前記照明光の光色を指定するための光色指定情報を入力する入力部と；
前記光色特性情報に基づいて前記光色指定情報を前記各発光素子の出力情報に変換し、当該出力情報に基づいて前記各発光素子の出力レベルを制御する制御部と；を具備したことを特徴とする照明装置。
【請求項２】
前記入力部は、前記照明光の光束を指定するための光束指定情報を入力し；
前記制御部は、前記光色指定情報と前記光束指定情報とに基づいて前記出力情報を演算することを特徴とする請求項１に記載の照明装置。
【請求項３】
前記制御部は、前記光色指定情報に基づいて指定された光色の照明光を前記光源部において生成不能である場合、当該光源部において生成可能な光色のうち前記指定された光色に最も近い光色を選択し、選択した前記光色を前出力情報に変換することを特徴とする請求項１又は請求項２に記載の照明装置。
【請求項４】
前記光色指定情報は、色度図上の座標或いは相関色温度であることを特徴とする請求項１乃至請求項３の何れか１項に記載の照明装置。
【請求項５】
前記制御部は、前記光色指定情報が変更されたとき、新たな前記出力情報に基づく前記出力レベルに対し、現在の前記出力レベルを徐々に変化させるフェード制御を行うことを特徴とする請求項１乃至請求項４の何れか１項に記載の照明装置。
【請求項６】
請求項１乃至５の何れか１項に記載の複数の照明装置と；
前記各照明装置とそれぞれ通信可能に接続され、前記各照明装置に対して前記光色指定情報を出力する中央制御装置と；を具備したことを特徴とする照明システム。
【発明の詳細な説明】
【技術分野】
【０００１】
本発明は、発光色の異なる複数種類の発光素子を用いて光色を変更可能な照明装置及び照明システムに関する。
【背景技術】
【０００２】
従来、例えば、オフィスビルや各種施設等においては、各フロアや各エリア等の使用エリア毎に設置される複数の照明装置を統括して遠隔制御する集中型の照明システムが広く採用されている。このような照明システムでは、複数の照明装置が、伝送ラインを介して、中央制御装置と通信可能に接続される。そして、各照明装置は、中央制御装置からブロードキャストで供給される各種制御信号によって制御される。
【０００３】
ところで、近年においては、発光ダイオード（ＬＥＤ：Light Emitting Diode）等の発光素子を光源として用いた照明装置が広く普及している。この種の照明装置では、例えば、特許文献１に開示されているように、発光色の異なる複数種類の発光素子（例えば、白色光、及び、電球色光に発光する２種類のＬＥＤ）を光源として用い、各発光素子の出力調整を行うことにより、照明装置全体として出力される照明光の光色（混光色）を変更することが可能となる。
【０００４】
しかし、一般に、この種の照明装置では、光源として用いられる発光素子の数量や発光特性等が照明装置の機種（型式や仕様等）によって異なるため、同じ光色の照明光を発生させる場合であっても、機種毎に個別の出力制御を行う必要がある。従って、この種の照明装置を採用した照明システムでは、画一的な出力制御によって所望の光色の照明光を得ることが困難となる場合があり、その対策として、例えば、同一機種の照明装置の採用や、各種照明装置に応じた個別の出力調整等を行う必要がある。
【先行技術文献】
【特許文献】
【０００５】
【特許文献１】２０１２−１２９０２１号公報
【発明の概要】
【発明が解決しようとする課題】
【０００６】
そこで、本実施形態は、高い汎用性にて、所望の光色の照明光を容易に生成することができる照明装置及び照明システムを提供することを目的とする。
【課題を解決するための手段】
【０００７】
前記課題を解決するため、実施形態の照明装置は、発光色の異なる２種以上からなる複数の発光素子を光源として備えた光源部と；前記光源部で生成可能な照明光の光色と前記各発光素子の出力との関係を示す光色特性情報を格納する記憶部と；前記照明光の光色を指定するための光色指定情報を入力する入力部と；前記光色特性情報に基づいて前記光色指定情報を前記各発光素子の出力情報に変換し、当該出力情報に基づいて前記各発光素子の出力レベルを制御する制御部と；を具備したものである。
【０００８】
また、本実施形態の照明システムは、複数の前記照明装置と；前記各照明装置とそれぞれ通信可能に接続され、前記各照明装置に対して前記光色指定情報を出力する中央制御装置と；を具備したものである。
【発明の効果】
【０００９】
本実施形態によれば、高い汎用性にて、所望の光色の照明光を容易に生成することができる。
【図面の簡単な説明】
【００１０】
【図１】照明システムの構成図
【図２】照明装置に対して送信される制御信号のデータ構造の一例を示す図
【図３】リレーに対して送信される制御信号のデータ構造の一例を示す図
【図４】色度図
【図５】色度図上の座標から各発光ダイオードの出力を演算するためのテーブルの一例を示す図
【図６】調光レベルの設定制御ルーチンを示すフローチャート（その１）
【図７】調光レベルの設定制御ルーチンを示すフローチャート（その２）
【図８】調光率演算についての説明図
【図９】調光レベルのフェード制御ルーチンを示すフローチャート
【図１０】調光レベル変化幅のテーブルに一例を示す図
【図１１】調光レベルの切替過渡時におけるフェード制御の一例を示す図
【図１２】照明装置の変形例を示す構成図
【図１３】照明装置の変形例を示す構成図
【発明を実施するための形態】
【００１１】
本実施形態の照明装置は発光色の異なる２種以上からなる複数の発光素子を光源として備えた光源部と；前記光源部で生成可能な照明光の光色と前記各発光素子の出力との関係を示す光色特性情報を格納する記憶部と；前記照明光の光色を指定するための光色指定情報を入力する入力部と；前記光色特性情報に基づいて前記光色指定情報を前記各発光素子の出力情報に変換し、当該出力情報に基づいて前記各発光素子の出力レベルを制御する制御部と；を具備したことを特徴としている。
【００１２】
また、本実施形態の照明システムは、複数の前記照明装置と；前記各照明装置とそれぞれ通信可能に接続され、前記各照明装置に対して前記光色指定情報を出力する中央制御装置と；を具備したことを特徴としている。
【００１３】
本発明及び以下の請求項の各発明に係わる実施形態において、特に限定しない限り、用語の意義及び技術的意味は次による。
【００１４】
発光素子とは、発光ダイオード（ＬＥＤ：Light Emitting Diode）を好適に採用することが可能であるが、これに限定されるものではなく、例えば、有機ＥＬ等の発光体であっても良い。
【００１５】
入力部とは、各種インターフェースを用いることが可能であり、有線、無線を問わない。
【００１６】
光色指定情報としては、色度図上のｘ−ｙ座標や色温度を好適に用いることが可能であるが、これらに限定されるものではなく、発光部において生成すべき照明光の光色を指定することが可能なパラメータであればよい。
【００１７】
以下、図面を参照して本発明の実施形態を説明する。図面は本発明の一実施形態に係わり、図１は照明システムの構成図、図２は照明装置に対して送信される制御信号のデータ構造の一例を示す図、図３はリレーに対して送信される制御信号のデータ構造の一例を示す図、図４は色度図、図５は色度図上の座標から各発光ダイオードの出力比を演算するためのテーブルの一例を示す図、図６，７は調光レベルの設定制御ルーチンを示すフローチャート、図８は調光率演算についての説明図、図９は調光レベルのフェード制御ルーチンを示すフローチャート、図１０は調光レベル変化幅のテーブルに一例を示す図、図１１は調光レベルの切替過渡時におけるフェード制御の一例を示す図、図１２，１３は照明装置の変形例を示す構成図である。
【００１８】
図１に示す照明システム１は、例えば、オフィスビルや各種施設等において好適に用いられるものである。この照明システム１は、システム全体を統括制御する中央制御装置５と、建物の壁等に設置されたスイッチ６と、ＬＥＤを光源とする複数の照明装置Ｌ１、Ｌ２、…、Ｌｎと、各照明装置Ｌ１、Ｌ２、…、Ｌｎに電源を供給する電源部７と、を有して構成されている。ここで、本実施形態の照明システム１において、各照明装置Ｌ１、Ｌ２、…、Ｌｎにはそれぞれ固有のアドレス＃が割り付けられており、これらは、例えば、スイッチ６とともに、信号伝送ライン１０を介して中央制御装置５に接続されている。また、各照明装置Ｌ１、Ｌ２、…、Ｌnは、給電ライン１１を介して電源部７に接続されている。なお、以下の説明においては、適宜、照明装置Ｌ１、Ｌ２、…、Ｌｎを照明装置Ｌと総称する。
【００１９】
中央制御装置５は、図示しないＣＰＵ、ＲＡＭ、ＲＯＭ等を有して構成されている。中央制御装置５は、例えば、スイッチ６に対する操作信号が信号伝送ライン１０を介して入力され、この操作信号に応じた制御データを、該当する照明装置Ｌに対し、信号伝送ライン１０を介して伝送することが可能となっている
具体的に説明すると、スイッチ６は、例えば、各アドレス＃の照明装置Ｌの光色や光束等を指定するための調光操作部や、各アドレス＃の照明装置Ｌのオン／オフ切替を行うためのオン／オフ操作部等（何れも図示せず）を有する。そして、このようなスイッチ６の各操作部に対する操作信号が信号伝送ライン１０を介して入力されると、中央制御装置５は、操作信号に応じた伝送フレームを生成する。
【００２０】
例えば、スイッチ６の調光操作部に対する操作入力が行われた場合、中央制御装置５は、照明装置Ｌに対して制御データを伝送するための伝送フレーム１５を生成する。この伝送フレーム１５は、例えば、図２に示すように、照明装置のアドレスデータ１５ａ、照明光の光色を指定するための光色指定情報としての光色制御コマンド１５ｂ、及び、照明光の光束を指定するための光束指定情報としての光束制御コマンド１５ｃを順に並べて構成されたフォーマットを有する。ここで、本実施形態における光色制御コマンド１５ｂとしては、例えば、色度図（図４参照）上の色温度が設定される。また、色温度に代えて、色度図上のｘ−ｙ座標を、光色制御コマンド１５ｂとして設定することも可能である。なお、色温度は相関色温度として以下説明する。
【００２１】
また、例えば、スイッチ６のオン／オフ操作部に対する操作入力が行われた場合、中央制御装置５は、電源回路へ供給される電力、言い換えると電源回路部および光源部２０で消費する電力をオンオフ制御するための制御データを伝送するための伝送フレーム１６を生成する。この伝送フレーム１６は、例えば、図３に示すように、照明装置Ｌのアドレスデータ１６ａ、及び、オン／オフ状態を指定するための電源制御コマンド１６ｂを順に並べて構成されたフォーマットを有する。
【００２２】
そして、中央制御装置５は、生成した伝送フレーム１５（或いは、伝送フレーム１６）を、信号伝送ライン１０を介して照明装置Ｌに対して伝送する。
【００２３】
図１に示すように、照明装置Ｌは、光源部２０と、記憶部２１と、伝送部２２と、制御部２３と、電源回路２４と、を有して構成されている。電源回路２４は、リレー（図示せず）が内蔵され、制御部２３が上述のオンオフ制御するための伝送フレーム１６を受信すると、制御部２３はこのリレーのオンオフ制御を行う。これによって、照明装置Ｌを消灯状態に制御している場合には電源回路２４で消費される待機電力をカットすることができる。
【００２４】
光源部２０は、発光色の異なる２種以上からなる複数のＬＥＤ２５を光源として有する。この光源部２０として、本実施形態の各照明装置Ｌには、例えば、異なる２種類の仕様の電源部のうちの何れかが採用されている。
【００２５】
これらの光源部のうち、一方の光源部２０（以下、第１の光源部２０Ａともいう）は、例えば、相関色温度が３０００Ｋ近辺の電球色の光を発光するＬＥＤ２５Ｌと、相関色温度が６５００Ｋ近辺の昼光色の光を発光するＬＥＤ２５Ｎと、を光源として有する。第１の光源部２０Ａは、後述する調光制御において、ＬＥＤ２５ＬとＬＥＤ２５Ｎの各出力レベルが可変に制御されることにより、上記電球色と昼光色の相関色温度を結ぶ線上における任意の混光色の照明光を生成することが可能となっている。
【００２６】
また、他方の光源部２０（以下、第２の光源部２０Ｂともいう）は、例えば、赤色発光するＬＥＤ２５Ｒと、緑色発光するＬＥＤ２５Ｇと、青色発光するＬＥＤ２５Ｂと、を光源として有する。そして、この第２の光源部２０Ｂは、後述する調光制御において、ＬＥＤ２５ＲとＬＥＤ２５ＧとＬＥＤ２５Ｂの各出力レベルが可変に制御されることにより、色度図上において略任意の混光色の照明光を生成することが可能となっている。
【００２７】
なお、図１に示す本実施形態の照明システム１において、例えば、照明装置Ｌ１等に第１の光源部２０Ａが採用され、照明装置Ｌ２、Ｌｎ等に第２の光源部２０Ｂが採用されている。
【００２８】
記憶部２１は、例えば、ＲＡＭ等によって構成され、照明装置Ｌの各種制御情報等を格納する。本実施形態において、この記憶部２１には、制御部２３で実行される各種制御プログラム等の他に、当該照明装置Ｌに割り付けられたアドレス情報や、光源部２０で生成可能な照明光の光色と各ＬＥＤ２５の出力との関係を示す光色特性情報等が格納されている。この場合、例えば、第１の光源部２０Ａを備えた照明装置Ｌ（照明装置Ｌ１等）の記憶部２１には、例えば、図５（ａ）〜（ｄ）に示すように、光色特性情報として、第１の光源部２０Ａで生成可能な照明光の各光色（例えば、相関色温度により指定）と、当該各光色を実現するための各ＬＥＤ２５Ｌ、２５Ｎの光束毎の各調光率（出力）との関係をテーブル化した情報が格納される。図示しないが、同様に、例えば、第２の光源部２０Ｂを備えた照明装置Ｌ（照明装置Ｌ２、Ｌｎ等）の記憶部２１には、光色特性情報として、第２の光源部２０Ｂで生成可能な照明光の各光色（例えば、相関色温度により指定）と、当該各光色を実現するための各ＬＥＤ２５Ｒ、２５Ｇ、２５Ｂの光束毎の各調光率（出力）との関係をテーブル化した情報が格納される。
【００２９】
伝送部２２は、信号伝送ライン１０と接続してデータ授受を行うための伝送インターフェースであり、中央制御装置５で生成された伝送フレーム１５，１６の各種制御情報等を入力可能な力部としての機能を具備している。
【００３０】
制御部２３は、記憶部２１に予め格納されたプログラム等に従って各種制御を行う。この制御の１つとして、制御部２３は、中央制御装置５から伝送される電源制御コマンドに基づいて、電源回路２４に内蔵されたリレーのオン／オフ制御（光源部２０のオン／オフ制御）を行う。また、制御部２３は、中央制御装置５から伝送される光色制御コマンド及び光束制御コマンドに基づいて、各ＬＥＤ２５の出力レベル制御を行う。すなわち、制御部２３は、例えば、記憶部２１に格納されているテーブルに基づいて、光色制御コマンドを各ＬＥＤ２５の出力情報に変換する。より具体的には、制御部２３は、光色制御コマンドと光束制御コマンドとに基づいて、所望の相関色温度及び光束を得るために必要な各ＬＥＤ２５に対する出力情報を演算する。そして、制御部２３は、各出力情報に基づいて各ＬＥＤ２５の調光レベル信号を生成し、この調光レベル信号に基づく電源回路２４に対する制御を通じて、電源部７から各ＬＥＤ２５に印加する駆動電圧を制御することにより、各ＬＥＤ２５の出力レベルを制御する。
【００３１】
次に、制御部２３において実行される調光レベルの設定制御について、図６に示す調光レベル設定制御ルーチンのフローチャートに従って説明する。なお、以下に示す調光レベルの設定制御は、例えば、光源部２０Ａを備えた照明装置Ｌの制御部２３において実行される一例について説明するものである。
【００３２】
このルーチンは、例えば、該当するアドレスの新たな伝送フレーム１５が伝送部２２を通じて入力される毎に実行されるものである。このルーチンがスタートすると、制御部２３は、先ず、ステップＳ１０１において、光色制御コマンドが指定する相関色温度が、光源部２０Ａにおいて生成可能な相関色温度範囲内にあるか否かを判定する。すなわち、制御部２３は、光色制御コマンドが指定する相関色温度が、例えば、各ＬＥＤ２５Ｌ、２５Ｎにより生成可能な相関色温度の最小値３０００Ｋから最大値６５００Ｋの間に存在するか否かを判定する。
【００３３】
そして、ステップＳ１０１において、光色制御コマンドが指定する相関色温度が光源部２０Ａにおいて生成可能な相関色温度範囲内にあると判定した場合、制御部２３は、ステップＳ１０２に進み、光色制御コマンドが指定する相関色温度と一致する相関色温度テーブルが存在するか否かを調べる。
【００３４】
そして、ステップＳ１０２において、光色制御コマンドが指定する相関色温度と一致する相関色温度テーブルが存在すると判定した場合、制御部２３は、ステップＳ１０３に進み、該当する相関色温度のテーブルを読出した後、ステップＳ１０５に進む。
【００３５】
一方、ステップＳ１０１において、光色制御コマンドが指定する相関色温度が光源部２０Ａにおいて生成可能な相関色温度範囲にないと判定した場合、制御部２３は、ステップＳ１０４に進み、光色制御コマンドが指定する相関色温度に一番近い相関色温度のテーブルを読み出した後、ステップＳ１０５に進む。すなわち、制御部２３は、光色制御コマンドが指定する相関色温度に対応する相関色温度テーブルとして、最小となる３０００Ｋの相関色温度テーブル（図５（ａ）参照）、或いは、最大となる６５００Ｋの相関色温度テーブル（図５（ｄ）参照）を読み出す。
【００３６】
また、ステップＳ１０２において、光色制御コマンドが指定する相関色温度と一致する相関色温度テーブルが存在しないと判定した場合、制御部２３は、ステップＳ１１０に進み、光色制御コマンドが指定する相関色温度に一番近い上下の相関色温度テーブルを読出した後、ステップＳ１１１に進む。すなわち、制御部２３は、例えば、光色制御コマンドが指定する相関色温度が３５００Ｋである場合、３０００Ｋの相関色温度テーブルと４０００Ｋの相関色温度テーブルとを読出す。
【００３７】
ステップＳ１０３或いはステップＳ１０４からステップＳ１０５に進むと、制御部２３は、光束制御コマンドが指定する光束が相関色温度テーブルに設定された光束範囲内（例えば、１００ｌｍ〜５０００ｌｍの範囲内）であるか否かを調べる。
【００３８】
そして、ステップＳ１０５において、光束制御コマンドが指定する光束が相関色温度テーブルに設定された光束範囲内であると判定した場合、制御部２３は、ステップＳ１０６に進み、光束制御コマンドが指定する光束に一致する光束が、ステップＳ１０３或いはステップＳ１０４で読み出した相関色温度テーブル上に存在するか否かを調べる。
【００３９】
そして、ステップＳ１０６において、一致する光束テーブルが存在すると判定した場合、制御部２３は、ステップＳ１０７に進み、相関色温度テーブル上の該当する光束テーブルを読み出し、当該テーブルに設定されている各調光率を新たな制御情報として設定した後、ルーチンを抜ける。
【００４０】
一方、ステップＳ１０５において、光束制御コマンドが指定する光束が相関色温度テーブルに設定された光束範囲外であると判定した場合、制御部２３はステップＳ１０８に進み、相関色温度テーブル上の一番近い光束テーブル（例えば、光束１００ｌｍ或いは５０００ｌｍのテーブル）を読み出し、当該テーブルに設定されている各調光率を新たな制御情報として設定した後、ルーチンを抜ける。
【００４１】
また、ステップＳ１０６において、一致する光束テーブルが存在しないと判定した場合、制御部２３は、ステップＳ１０９に進み、光束制御コマンドが指定する光束に一番近い上下の光束テーブルを読み出し、これら各光束テーブルに設定されている調光率に基づいて新たな調光率を制御情報として演算した後、ルーチンを抜ける。
【００４２】
例えば、現在３０００Ｋの相関色温度テーブルが読み出されており、光束制御コマンドが指定する光束が１５０ｌｍである場合、図５（ａ）及び図８に示す（１）、（３）の関係から、
電球色ＬＥＤ２５Ｌの調光率＝（ａ＋ｂ）×150／（100＋200）％
昼光色ＬＥＤ２５Ｎの調光率＝（Ａ＋Ｂ）×150／（100＋200）％
を算出する。
【００４３】
また、ステップＳ１１０からステップＳ１１１に進むと、制御部２３は、光束制御コマンドが指定する光束が相関色温度テーブルに設定された光束範囲内（例えば、１００ｌｍ〜５０００ｌｍの範囲内）であるか否かを調べる。
【００４４】
そして、ステップＳ１１１において、光束制御コマンドが指定する光束が相関色温度テーブルに設定された光束範囲内であると判定した場合、制御部２３は、ステップＳ１１２に進み、光束制御コマンドが指定する光束に一致する光束が、ステップＳ１１０で読み出した各相関色温度テーブル上に存在するか否かを調べる。
【００４５】
そして、ステップＳ１１２において、一致する光束テーブルが存在すると判定した場合、制御部２３は、ステップＳ１１３に進み、異なる相関色温度間の各調光率に基づいて新たな調光率を制御情報として演算した後、ルーチンを抜ける。
【００４６】
例えば、現在光色制御コマンドが指定する相関色温度が３５００Ｋであり、３０００Ｋの相関色温度テーブルと４０００Ｋの相関色温度テーブルとが読み出されており、光束制御コマンドが指定する光束が１００ｌｍである場合、図５（ａ），（ｂ）及び図８に示す（１）、（２）の関係から、
電球色ＬＥＤ２５Ｌの調光率＝（ａ＋ｄ）×3500／（3000＋4000）％
昼光色ＬＥＤ２５Ｎの調光率＝（Ａ＋Ｄ）×3500／（3000＋4000）％
を算出する。
【００４７】
一方、ステップＳ１１２において、一致する光束テーブルが存在しないと判定した場合、制御部２３は、ステップＳ１１４に進み、各相関色温度テーブル上において、光束制御コマンドが指定する光束に一番近い上下の光束テーブルを読み出した後、ステップＳ１１５に進む。
【００４８】
そして、ステップＳ１１５において、制御部２３は、相関色温度毎に調光率を演算し、さらに、これら異なる相関色温度間での新たな調光率を制御情報として演算した後、ルーチンを抜ける。
【００４９】
例えば、現在光色制御コマンドが指定する相関色温度が３５００Ｋであり、３０００Ｋの相関色温度テーブルと４０００Ｋの相関色温度テーブルとが読み出されており、光束制御コマンドが指定する光束が１５０ｌｍである場合、図５（ａ），（ｂ）及び図８に示す（１）〜（４）の関係から、各調光率を演算する。すなわち、テーブル（１）、（３）から、
電球色ＬＥＤ２５Ｌの調光率＝（ａ＋ｂ）×150／（100＋200）＝Ｖ％
昼光色ＬＥＤ２５Ｎの調光率＝（Ａ＋Ｂ）×150／（100＋200）＝Ｘ％
テーブル（２）、（４）から、
電球色ＬＥＤ２５Ｌの調光率＝（ｄ＋ｅ）×150／（100＋200）＝Ｙ％
昼光色ＬＥＤ２５Ｎの調光率＝（Ｄ＋Ｅ）×150／（100＋200）＝Ｚ％
となり、最終的な各調光率
電球色ＬＥＤ２５Ｌの調光率＝（Ｖ＋Ｙ）×3500／（3000＋4000）％
昼光色ＬＥＤ２５Ｎの調光率＝（Ｘ＋Ｚ）×3500／（3000＋4000）％
を算出する。
【００５０】
また、ステップＳ１１１において、光束制御コマンドが指定する光束が相関色温度テーブルに設定された光束範囲外であると判定した場合、制御部２３は、ステップＳ１１６に進み、各相関色温度テーブル上の一番近い光束テーブルを読み出した後、ステップＳ１１７に進む。
【００５１】
そして、ステップＳ１１７において、異なる相関色温度間の各調光率に基づいて新たな調光率を制御情報として演算した後、ルーチンを抜ける。
【００５２】
例えば、現在光色制御コマンドが指定する相関色温度が３５００Ｋであり、３０００Ｋの相関色温度テーブルと４０００Ｋの相関色温度テーブルとが読み出されており、光束制御コマンドが指定する光束が１００ｌｍである場合、図５（ａ），（ｂ）及び図８に示す（１）、（２）の関係から、
電球色ＬＥＤ２５Ｌの調光率＝（ａ＋ｄ）×3500／（3000＋4000）％
昼光色ＬＥＤ２５Ｎの調光率＝（Ａ＋Ｄ）×3500／（3000＋4000）％
を算出する。
【００５３】
このように新たな制御情報として各ＬＥＤ２５Ｌ、２５Ｎの調光率を演算すると、制御部２３は、フェード制御によって、現在の調光レベルを新たな調光レベルへと移行させる。この移行は、例えば、図９に示す調光レベルのフェード制御ルーチンに従って行われる。このルーチンがスタートすると、制御部２３は、先ず、ステップＳ２０１において、現在の制御中の調光率に基づいて、各ＬＥＤ２５Ｌ、２５Ｎにより生成される混光色の相関色温度を演算する。
【００５４】
続くステップＳ２０２において、制御部２３は、予め設定されたテーブル等を読み出す。すなわち、例えば、図１０に示すように、記憶部２１には、混光による相関色温度と調光レベルの変化幅Δｄとの関係を示すテーブルが予め設定されて格納されており、制御部２３は、このテーブルを参照して、混光色の相関色温度に応じた調光レベルの変化幅Δｄを設定する。
【００５５】
そして、ステップＳ２０３において、制御部２３は、ステップＳ２０２で設定した調光レベルの変化幅Δｄを用いてフェード制御を行う。
【００５６】
続くステップＳ２０４において、制御部２３は、現在の調光レベルが新たな制御情報に基づく調光レベルに到達したか否かを調べることにより、調光レベルの移行が完了したか否かを調べ、移行が完了していないと判定した場合には、ステップＳ２０１に戻る。
【００５７】
一方、ステップＳ２０４において、新たな調光レベルへの移行が完了したと判定した場合、制御部２３は、ルーチンを抜ける。
【００５８】
このような制御により、例えば、図１１に示すように、相関色温度に応じた変化量にて、調光レベルが違和感なくフェード制御される。ここで、上述のようなフェード制御は、例えば、制御パラメータとして、相関色温度に代えて光束を用いることも可能である。或いは、上述の処理に代えて、周知の正弦波を基にしたフィルタ処理等によって、フェード制御を行うことも可能である。  また、制御する相関色温度に応じて制御数を変化させてもよい。制御数とは、光源部の出力を変化させる数であり、例えば、調光率を５％ずつ変化させていた場合に調光率を１％ずつ変化させることで制御数が増加することになる。このように、色の変化を感じやすい相関色温度の場合には制御数を増やし、色の変化を感じにくい相関色温度の場合には制御数を減らすことで光色の変化を感じにくくすることができる。また、相関色温度の幅によって調光レベルの変化幅を記憶する場合について説明したが、これに限定されることなく、相関色温度に対する変化幅の関数としてテーブルを記憶しておき、都度読みだすようにしてもよい。
【００５９】
このような実施形態によれば、発光色の異なる２種以上からなる複数のＬＥＤ２５を備えた光源部２０と、光源部２０で生成可能な照明光の光色と各ＬＥＤ２５の出力との関係を示す光色特性情報を格納する記憶部２１と、照明光の光色を指定するための光色制御コマンドを入力する伝送部２２と、光色特性情報に基づいて光色制御コマンドを各ＬＥＤ２５の出力情報に変換し当該出力情報に基づいて各ＬＥＤ２５の出力レベルを制御する制御部２３と、を具備して照明装置Ｌを構成することにより、高い汎用性にて、所望の光色の照明光を容易に生成することができる。すなわち、例えば、光源部２０の仕様が異なる複数の照明装置Ｌを混在させて照明システム１を構成した場合にも、画一的な制御情報（制御コマンド）によって、調光制御等を行うことができる。
【００６０】
ここで、上述の実施形態においては、照明装置Ｌの光源部２０として、２種類のＬＥＤ２５Ｌ、２５Ｎを用いた光源部２０Ａ、及び、２種類のＬＥＤ２５Ｒ、２５Ｇ、２５Ｂを用いた光源部２０Ｂを例に説明したが、光源部２０の仕様としてはこれらに限定されるものではなく、例えば、４種以上のＬＥＤを光源として用いた光源部を採用することも可能である。この場合、例えば、図１２に示すように、黒体輻射軌跡上の光色に対応するＬＥＤ２５Ｌ、２５Ｎと、Ｒ、Ｇ、Ｂの各色に対応するＬＥＤ２５Ｒ、２５Ｇ、２５Ｂと、を組み合わせて光源部２０Ｃを構成することにより、幅広い光色の照明光を効率よく生成することができる。すなわち、光源部２０Ｃを備えた照明装置Ｌでは、例えば、基本的には発光効率の良好なＬＥＤ２５Ｌ、２５Ｎを中心とする調光制御を行い、不足する光色をＬＥＤ２５Ｒ、ＬＥＤ２５Ｇ、ＬＥＤ２４Ｂにおいて補うことにより、幅広い光色の照明光を効率よく生成することができる。
【００６１】
また、例えば、図１３に示すように、照明装置Ｌをソケット２７と照明装置本体２８とに分離可能に構成することも可能である。このように照明装置Ｌを分離可能に構成し、例えば、記憶部２１に格納されているテーブルを、ソケット２７に装着される照明装置本体２８に応じて書き換え可能な構成とすれば、より汎用性の高い照明装置Ｌを実現することができる。
【符号の説明】
【００６２】
１  …  照明システム
５  …  中央制御装置
６  …  スイッチ
７  …  電源部
１０  …  信号伝送ライン
１１  …  給電ライン
１５  …  伝送フレーム
１５ａ  …  アドレスデータ
１５ｂ  …  光色制御コマンド
１５ｃ  …  光束制御コマンド
１６  …  伝送フレーム
１６ａ  …  アドレスデータ
１６ｂ  …  電源制御コマンド
２０  …  光源部
２０Ａ  …  光源部
２０Ｂ  …  光源部
２０Ｃ  …  発光部
２１  …  記憶部
２２  …  伝送部（入力部）
２３  …  制御部
２４  …  電源回路
２５  …  発光ダイオード（発光素子）
２７  …  ソケット
２８  …  照明装置本体
Ｌ  …  照明装置
【図１】
2014120396.tif 000003
【図２】
2014120396.tif 000004
【図３】
2014120396.tif 000005
【図４】
2014120396.tif 000006
【図５】
2014120396.tif 000007
【図６】
2014120396.tif 000008
【図７】
2014120396.tif 000009
【図８】
2014120396.tif 000010
【図９】
2014120396.tif 000011
【図１０】
2014120396.tif 000012
【図１１】
2014120396.tif 000013
【図１２】
2014120396.tif 000014
【図１３】
2014120396.tif 000015